(57)【要約】【課題】カメラ機能を備え通常撮影用の通常レンズを覆うレンズカバーを有する電子機器において、電子機器の厚さを増すことなく通常撮影以外の撮影（マクロ撮影や望遠撮影等）をスムーズに切り替えることができる電子機器を提供すること。【解決手段】レンズカバー５は該電子機器上で位置変位動作可能であり、通常レンズ４と組み合わせて用いる補助レンズを着脱可能に装着可能な取り付け部７を備え、その動作位置に応じて、通常レンズを保護する保護位置と、補助レンズを使用せず通常レンズを使用して撮影を行なう通常撮影位置と、通常レンズと前記補助レンズとを組み合わせて撮影を行なう選択撮影位置とに切り替え可能である。【選択図】図３
2007140388.tif 000002
【特許請求の範囲】
【請求項１】
カメラ機能を備え通常撮影用の通常レンズを覆うレンズカバーを有する電子機器において、
前記レンズカバーは該電子機器上で位置変位動作可能であり、前記通常レンズと組み合わせて用いる補助レンズを着脱可能に装着可能な取り付け部を備え、その動作位置に応じて、前記通常レンズを保護する保護位置と、前記補助レンズを使用せず前記通常レンズを使用して撮影を行なう通常撮影位置と、前記通常レンズと前記補助レンズとを組み合わせて撮影を行なう選択撮影位置とに切り替え可能であることを特徴とする電子機器。
【請求項２】
前記取り付け部は、前記補助レンズに設けられた爪部材と嵌合する爪嵌合穴であることを特徴とする請求項１記載の電子機器。
【請求項３】
前記取り付け部は、前記補助レンズに設けられたねじ部と嵌合するねじ嵌合穴であることを特徴とする請求項１記載の電子機器。
【請求項４】
前記レンズカバーは、位置変位の動作方向が回転方向であることを特徴とする請求項１から請求項３のうちのいずれか１項記載の電子機器。
【請求項５】
前記レンズカバーは、位置変位の動作方向が直線方向であることを特徴とする請求項１から請求項３のうちのいずれか１項記載の電子機器。
【請求項６】
前記取り付け部は、補助レンズとして、マクロ（広角）レンズ、望遠レンズ、フィルタレンズの全部又は選択したいくつかを同時に装着可能であり、その装着した補助レンズによる各選択撮影相互の切り替えおよび前記通常撮影、前記保護位置の切り替えが可能であることを特徴とする請求項１から請求項５のうちのいずれか１項記載の電子機器。
【発明の詳細な説明】
【技術分野】
【０００１】
この発明は、カメラ機能を備え通常撮影用のレンズを覆うレンズカバーを有する電子機器に関する。
【背景技術】
【０００２】
カメラに備えられた通常撮影用のレンズ（以下、通常レンズという。）を覆うカバー（以下、レンズカバーという。）は現在、携帯電話器やデジタルカメラ等多岐に渡り用いられている。レンズカバーの基本機能は、カメラレンズの傷付きを防止し保護することである。レンズカバーに関しては、従来、撮影レンズの前面を保護する保護カバーを本体部の前面側から取り外し、新たな保護カバーと交換することができるインスタントカメラに関する発明がある（例えば、特許文献１参照。）。
【０００３】
カメラ機能を備えた電子機器を用いるユーザーは、通常レンズによる通常撮影の他に、マクロ（広角）レンズ（以下、単にマクロレンズと記す。）を使用したマクロ撮影や、望遠レンズを使用した望遠撮影等を希望する場合がある。従来、これらの撮影をスムーズに切り換える手段を備えた電子機器はない。特許文献１は保護カバーの交換に係る発明を開示するものであり、使用レンズの切り替えについての開示はない。
【０００４】
特に携帯電話器において、マクロ(広角)機能（以下、単にマクロ機能と記す。）はカメラモジュール自体に付加されているがこのため、携帯電話器の筐体厚み増加に繋がっている。また、望遠機能は焦点距離を延長することになるため鏡筒が長くなり、すなわち、カメラモジュールの厚みが増えて携帯電話器の筐体厚みが増加する。そのため、望遠機能をカメラモジュールに付加することは困難であった。
【０００５】
一方、マクロレンズあるいは望遠レンズを携帯電話器の筐体に直接付けられるようにすることも可能であるが、通常レンズあるいはマクロレンズあるいは望遠レンズの切り替えに手間が掛かるという問題がある。
【０００６】
【特許文献１】特開２００１−５０７７号公報
【発明の開示】
【発明が解決しようとする課題】
【０００７】
従来のカメラ機能付きの電子機器では、通常レンズによる通常撮影以外の撮影、例えば、マクロレンズを使用したマクロ撮影や、望遠レンズを使用した望遠撮影等を行う場合、電子機器の厚さが増したり、レンズの切り替えに時間がかかる等の課題があった。
【０００８】
この発明は上記のような課題を解決するためになされたもので、電子機器の厚さを増すことなく通常撮影以外の撮影（マクロ撮影や望遠撮影等）をスムーズに切り替えることができる電子機器を提供することを目的とする。
【課題を解決するための手段】
【０００９】
この発明に係る電子機器は、カメラ機能を備え通常撮影用の通常レンズを覆うレンズカバーを有し、前記レンズカバーは該電子機器上で位置変位動作可能であり、前記通常レンズと組み合わせて用いる補助レンズを着脱可能に装着可能な取り付け部を備え、その動作位置に応じて、前記通常レンズを保護する保護位置と、前記補助レンズを使用せず前記通常レンズを使用して撮影を行なう通常撮影位置と、前記通常レンズと前記補助レンズとを組み合わせて撮影を行なう選択撮影位置とに切り替え可能とした。
【発明の効果】
【００１０】
この発明によれば、電子機器の厚さを増すことなく通常撮影以外の撮影（マクロ撮影や望遠撮影等）をスムーズに切り替えることができる。
【発明を実施するための最良の形態】
【００１１】
以下に実施の形態について説明を行う。説明には例として携帯電話器に実装したレンズカバーを用いることにする。図１は電子機器の一例として示した携帯電話器１の模式図である。図１では液晶ディスプレイなどの表示部２と操作釦スイッチなどを配置した操作部３が同一筐体に収められたタイプの携帯電話であるが、表示部２と操作部３が別の筐体に分かれている形態の携帯電話器でも以下の説明は成り立つ。
【００１２】
実施の形態１．
表示部２が設けられた図１に示した表側の反対側（裏側）を示したのが図２である。この携帯電話器１はカメラ機能を有していて、通常撮影用の通常レンズ４を備えている。このように、表示部２と通常レンズ４とは携帯電話器１の裏表に逆向きに配置されている。通常レンズ４は携帯電話器１の裏側の凹部６の底部に配置されている。該通常レンズ４を保護するためのレンズカバー５は凹部６に嵌合されていて、図示しない案内手段に案内されて矢印ａで示す携帯電話器１の長手方向にスライドして位置変位動作可能である。
【００１３】
図３〜図５は図２のＸ―Ｘ矢視断面を示し、スライド後の３つの特徴的な位置を示している。レンズカバー５には通常レンズ４と略同径の円形をした爪嵌合穴７が開けられていて、レンズカバー５と共に移動する。爪嵌合穴７には、後述するように、通常レンズ４と組み合わせて用いる補助レンズが着脱可能に装着される。
【００１４】
図３に示したようにレンズカバー５が凹部６の左端部に当たるまで移動した状態は図２ではレンズカバー５が凹部６の下端部に当接した状態に対応する。図２、図３に示したレンズカバー５を完全に開いた位置では、通常レンズ４はレンズカバー５から外れて露出した状態となっており通常レンズ５を使用して撮影を行うことができる。かかるレンズカバー５の位置を通常撮影位置という。
【００１５】
図４に示したように通常レンズ４と爪嵌合穴７とが合致した状態(通常レンズ４の真上にレンズカバー嵌合部６を配置した状態)になるまでレンズカバー５が移動した状態では、通常レンズ４が嵌合穴７に取り付けられた補助レンズと組み合わされて行われる選択撮影が可能であり、かかるレンズカバー５の位置を選択撮影位置という。
【００１６】
図５に示したようにレンズカバー５が凹部６の右端部に当たるまで移動した状態は図２ではレンズカバー５が凹部６の上端部に当接する状態に対応する。図５に示したレンズカバー５のスライド停止位置では、通常レンズ４がレンズカバー５で完全に覆われて保護された状態（レンズカバー5が完全に閉じていて通常レンズ４の露出がなく撮影ができない状態）となっており、かかるレンズカバー５の位置を保護位置という。
【００１７】
レンズカバー５の嵌合爪穴７には図６に示したような円柱状をしたマクロレンズ８、望遠レンズ９、フィルタレンズ１０（第３の実施の形態参照）の中から任意に選択した１つのレンズを着脱可能に取り付けることができる。嵌合爪穴７は本発明における補助レンズ取り付け部の一例を構成する。
以下では、説明の便宜上、これらのレンズを補助レンズ１１と総称する。補助レンズ１１の底部からは弾性材からなる４本の爪部材１１ａ、１１ｂが脚状に突出している。
【００１８】
４本の爪部材１１ａ、１１ｂは同じ符号を付した横並びの２本ずつが同じ形状をしていて、これら同じ形状の２本ずつが対向した配置となっている。爪部材１１ａと爪部材１１ｂとは先端部の形状が概略Ｌ字状をしていて、それぞれの折曲端部１２、１３が互いに外側を向いている。図７に爪部材１１ａ、図８に爪部材１１ｂをそれぞれ拡大して示す。各折曲端部１２、１３は補助レンズ１１の底部１１ｃと対向する部分が斜面１２ａ、斜面１３ａとなっている。各斜面１２ａ、１３ａは補助レンズ１１の外径方向に進むにつれて底部１１ｃから離れる傾向の傾斜であるが勾配が異なる。斜面１２ａの勾配は緩やかであり、斜面１３ａの勾配は急である。なお、折曲端部１３に関しては、斜面１３ａの反対側に該斜面１３ａとともに山型を構成するような斜面１３ｂが形成されている。
【００１９】
爪部材１１ａ、１１ｂと嵌合する嵌合爪穴７は図２〜図５に示したように円形で構成される。或いは、矩形の開口で構成することもできる。４本の係合爪１１ａ、１１ｂは嵌合爪穴７と嵌合する位置に配置されている。図３〜図５に示すように該嵌合爪穴７の対向する一方の縁部には段部７ａが形成され、対向する他方の縁部には斜面７ｂが形成されている。
【００２０】
図９に示すように段部７ａには爪部材１１ａの折曲端部１２が掛かり、傾斜面部７ｂには爪部材１１ｂの折曲端部１３が掛かることにより、補助レンズ１１は嵌合爪穴７に装着される。かかる装着操作は次のように行う。先ず、補助レンズ１１を傾けて爪部材１１ａの折曲端部１２を段部７ａに掛ける。このとき、爪部材１１ｂの折曲端部１３はまだ嵌合爪穴７の外にある。
【００２１】
次に、図９において、折曲端部１２と段部７ａとの係合部を支点にして補助レンズ１１を矢印Ｒの向きに傾ける。この傾け動作に応じて斜面１３ｂが嵌合爪穴７の縁部を滑り、かつ、爪部材１１ｂが内側に撓んで、図９に示すように、斜面１３ａが傾斜面部７ｂの下に滑り込み、係止される。底部１１ｃは凹部６の上面と接する状態となり、爪部材１１ａ、１１ｂが嵌合穴部７に嵌合装着される。折曲端部１２は嵌合時の位置決めの役割を果たし、折曲端部１３は嵌合強度を保つ役割を果たす。
【００２２】
上記の手順で、一旦マクロレンズ８あるいは望遠レンズ９を取り付ければ、図３から図５に示した各位置へのレンズカバー５の切り替えを、必要に応じてスムーズに行なうことができる。携帯電話器を携行する場合やマクロ(広角)レンズ８あるいは望遠レンズ９を使用する必要がなくなった場合には取り外すこととする。
かかる装着状態の補助レンズ１１をレンズカバー５から取り外す際は、補助レンズ１１を、矢印Ｒと逆向きに傾けるようにすれば、上記装着時と逆のプロセスで嵌合爪穴７から外すことができる。以上の説明は、通常レンズ４と表示部３が逆向きのケースで説明を行ったが、同じ向きに通常レンズ４と表示部２があっても同様である。
本実施の形態例では、マクロレンズなどの補助レンズはカメラモジュール自体に付加することなく、既存のレンズカバーを利用して着脱可能であるので携帯電話器の筐体厚みを増加させることなくマクロ機能を得ることができる。
【００２３】
実施の形態２．
上記実施の形態1では爪嵌合にてレンズカバー５とマクロレンズ８或いは望遠レンズ９などの補助レンズ１１の嵌合を行ったが、かかる爪嵌合に代えて、図１０に示すように、マクロレンズ８或いは望遠レンズ９、フィルタレンズ１０などの補助レンズ１１０に雄ねじ部１５を設けておき、図３〜図５におけるレンズカバー５において、嵌合爪穴７に代えて設けたねじ嵌合穴としての雌ねじ部１６にねじ締め付け嵌合する方法でもよい。ねじ締め嵌合は、上記実施の形態１の爪嵌合よりも嵌合力が向上するので取り付け強度が増す利点がある。雌ねじ部１６は本発明における補助レンズ用の取り付け部の一例を構成する。
【００２４】
実施の形態３．
実施の形態１、２では、レンズカバー５の位置変位の動作方向が直線的であったのに対して、本実施の形態例では、図１１に示すようにレンズカバー５０を円板状に構成して、位置変位の動作方向をレンズカバー５０の中心Ｏを中心とする回転方向としている。レンズカバー５０は携帯電話器１の裏面に中心Ｏを回転中心として軸支し、又は携帯電話器１の本体側に形成した円形の凹部に回転可能に嵌合させる。
【００２５】
レンズカバー５０には中心Ｏを回転中心とする同一円周上に穴５１ａ、５１ｂ、５２を有する。例えば、図１１における穴５２の直下には通常レンズ４が配置されている。穴５１ａには図１０で説明した補助レンズ１１０の中、マクロレンズ８の雄ねじ部１５が螺合される。穴５１ｂには図１０で説明した補助レンズ１１０の中、望遠レンズ９の雄ねじ部１５が螺合される。穴５２にはレンズは装着されず光の通過穴である。
【００２６】
かかる状態のもとで、通常レンズ４に穴５２を対応させた図１１の状態ではレンズカバー５０は通常レンズ４を使用して撮影を行う通常撮影位置にあり、レンズカバー５０を回動させて通常レンズ４に穴５１ａを対応させた状態ではレンズカバー５０は通常レンズ４とマクロレンズ８とを組み合わせて使用して撮影を行う選択撮影位置にあり、通常レンズ４に穴５１ｂを対応させた状態ではレンズカバー５０は通常レンズ４と望遠レンズ９と組み合わせて使用して撮影を行う選択撮影位置にある。また、上記同一円周上であって穴５１ｂと穴５２との中間部には穴は形成されておらず、ブラインド状であるので、このブラインド状部分を通常レンズ４と対応させた動作位置は保護位置となり、通常レンズ４はレンズカバー５０で覆われて保護される。
本実施の形態では、複数の補助レンズを装着した状態でレンズカバー５０を回転させてスムーズかつ迅速に各補助レンズの特性に従う撮影を行うことができる。撮影を終えたら補助レンズを取り外すことができるので、携帯電話器が大型化することはない。
【００２７】
レンズカバー５０に形成する数をさらに増やし、マクロレンズ８、望遠レンズ９に加えてレンズ部分にフィルタ(例えばセピア色)を貼ってあるようなフィルタレンズ１０を設けることもできる（第１の実施の形態、第２の実施の形態でも同じ）。嵌合方法は上記第１の実施の形態における爪嵌合あるいは上記第２の実施の形態におけるねじ締め付け嵌合とする。
電子処理にてもセピア色化等の付加価値付けは可能であるが、フィルタレンズ１０を用いることで、購入当初より決められた電子処理の一律色ではなく様々な種類のフィルタを組み合わせて個人オリジナルの色を作成可能である。なお、フィルタレンズ１０には数種類のフィルタを組み合わせ可能とする。
【００２８】
実施の形態４．
レンズカバーの位置変位の動作方向が直線方向である第１の実施の形態例や第２の実施の形態例において、レンズカバー上に補助レンズを同時に複数装着しようとすると、直線状の配置になり、例えば、嵌合爪穴７の配列も直線上に長くなるため携帯電話器の筐体長さが長くなって不可能である。前記実施の形態３のようにレンカバーが円形で位置変位の動作方向が回転方向の場合にはそのようなことは回避される。
補助レンズとレンズカバー５或いはレンズカバー５０に対して、補助レンズを以下の方法にて嵌合してもよい。
【００２９】
（１）：  磁石の磁気的な力を利用して取り付ける。
（２）：  図１２に示すように補助レンズ１１００の端部に段部７０と小径部７１とを形成し、この小径部７１にゴム層７２を形成し、このゴム層７２を図１３に示すレンズカバー５（５０）の取り付け部を構成する嵌合穴６２にゴム層７２の弾性を利用して嵌合させる。その際、段部７０を補助レンズの取り付け部６３を構成する嵌合穴６２、段部６０のうち、段部６０に当接させて深さ方向の位置決めをする。
（３）：  図１４に示すように、補助レンズ１２００の端部に段部７０と小径部７１とを形成し、段部７０に多数の吸盤７３を装着し、この小径部７１を図１３に示すレンズカバー５（５０）の取り付け部を構成する嵌合穴６２に嵌合させる。その際、吸盤７３を嵌合穴６２の段部６０に当接させて吸着させて深さ方向の位置決めをする。
（４）：  繰り返し接着、取り外し可能な簡易糊にて補助レンズとレンズカバーを取り付ける。
【図面の簡単な説明】
【００３０】
【図１】携帯電話器の表示部側を見せた斜視図である。
【図２】直線移動型のレンズカバーを例示した斜視図である。
【図３】レンズカバーが位置変位した状態を説明した断面図である。
【図４】レンズカバーが位置変位した状態を説明した断面図である。
【図５】レンズカバーが位置変位した状態を説明した断面図である。
【図６】補助レンズの斜視図である。
【図７】爪部材の斜視図である。
【図８】爪部材の斜視図である。
【図９】爪部材を使用したレンズカバーへの補助レンズの取り付け状態を示した断面図である。
【図１０】ねじを使用したレンズカバーへの補助レンズの取り付けを示した断面図である。
【図１１】回転型のレンズカバーを例示した斜視図である。
【図１２】ゴムの弾性を利用してレンズカバーに取り付ける補助レンズの斜視図である。
【図１３】レンズカバーにおける補助レンズの取り付けを示した断面図である。
【図１４】吸盤を利用してレンズカバーに取り付ける補助レンズの斜視図である。
【符号の説明】
【００３１】
４  通常レンズ、５  レンズカバー、７  嵌合爪穴（取り付け部）、８  マクロレンズ（補助レンズ）、９  望遠レンズ（補助レンズ）、１０  フィルタレンズ（補助レンズ）、１１，１１０，１１００，１２００  補助レンズ、１１ａ，１１ｂ  爪部材、１５  雄ねじ部（ねじ部）、１６  雌ねじ部（ねじ嵌合穴）、５０  レンズカバー、５１ａ，５１ｂ  穴、６３  取り付け部、６２  嵌合穴、７０  段部。
【図１】
2007140388.tif 000003
【図２】
2007140388.tif 000004
【図３】
2007140388.tif 000005
【図４】
2007140388.tif 000006
【図５】
2007140388.tif 000007
【図６】
2007140388.tif 000008
【図７】
2007140388.tif 000009
【図８】
2007140388.tif 000010
【図９】
2007140388.tif 000011
【図１０】
2007140388.tif 000012
【図１１】
2007140388.tif 000013
【図１２】
2007140388.tif 000014
【図１３】
2007140388.tif 000015
【図１４】
2007140388.tif 000016